(57)【要約】【課題】画像の任意の箇所に対し、拡大又は縮小のいずれかをユーザが選択して表示させる。【解決手段】電子ペン又は遮蔽物を介した光信号に基づいて画像を表示する光学式のタッチパネルシステムであって、電子ペン又は遮蔽物を介した光信号を検知する信号検知部と、信号検知部が検知した光信号が電子ペン又は遮蔽物のいずれを介した光信号であるかを判定する判定部と、電子ペンの筆圧を検知する筆圧検知部と、電子ペン又は遮蔽物の位置を検知する位置検知部と、判定部が電子ペン又は遮蔽物のいずれを介した光信号であるかを判定した順序、及び筆圧検知部が検知した筆圧に基づいて、位置検知部が検知した電子ペン又は遮蔽物の位置に基づく所定の位置に、拡大画像又は縮小画像を表示させるように制御する表示制御部と、を有する。【選択図】図６
2018045530.tif 000002
【特許請求の範囲】
【請求項１】
電子ペン又は遮蔽物を介した光信号に基づいて画像を表示する光学式のタッチパネルシステムであって、
電子ペン又は遮蔽物を介した光信号を検知する信号検知部と、
前記信号検知部が検知した光信号が電子ペン又は遮蔽物のいずれを介した光信号であるかを判定する判定部と、
電子ペンの筆圧を検知する筆圧検知部と、
電子ペン又は遮蔽物の位置を検知する位置検知部と、
前記判定部が電子ペン又は遮蔽物のいずれを介した光信号であるかを判定した順序、及び前記筆圧検知部が検知した筆圧に基づいて、前記位置検知部が検知した電子ペン又は遮蔽物の位置に基づく所定の位置に、拡大画像又は縮小画像を表示させるように制御する表示制御部と、
を有することを特徴とする光学式タッチパネルシステム。
【請求項２】
電子ペン又は遮蔽物を介した光信号に基づいて画像を光学式のタッチパネルシステムに表示させる表示方法であって、
電子ペン又は遮蔽物を介した光信号を検知する工程と、
検知した光信号が電子ペン又は遮蔽物のいずれを介した光信号であるかを判定する工程と、
電子ペンの筆圧を検知する工程と、
電子ペン又は遮蔽物の位置を検知する工程と、
電子ペン又は遮蔽物のいずれを介した光信号であるかを判定した順序、及び検知した筆圧に基づいて、検知した電子ペン又は遮蔽物の位置に基づく所定の位置に、拡大画像又は縮小画像を表示させるように制御する工程と、
を含む表示方法。
【請求項３】
電子ペン又は遮蔽物を介した光信号に基づいて画像を光学式のタッチパネルシステムに表示させる表示プログラムであって、
電子ペン又は遮蔽物を介した光信号を検知するステップと、
検知した光信号が電子ペン又は遮蔽物のいずれを介した光信号であるかを判定するステップと、
電子ペンの筆圧を検知するステップと、
電子ペン又は遮蔽物の位置を検知するステップと、
電子ペン又は遮蔽物のいずれを介した光信号であるかを判定した順序、及び検知した筆圧に基づいて、検知した電子ペン又は遮蔽物の位置に基づく所定の位置に、拡大画像又は縮小画像を表示させるように制御するステップと、
をコンピュータに実行させるための表示プログラム。
【発明の詳細な説明】
【技術分野】
【０００１】
本発明は、光学式タッチパネルシステム、表示方法及び表示プログラムに関する。
【背景技術】
【０００２】
従来、企業や教育機関、行政機関等における会議等において、大型ディスプレイに背景画像を表示させ、この背景画像の上にユーザが文字や数字、図形等のストローク画像を描画可能な電子黒板が利用されている。このような例えばインタラクティブホワイトボードシステムでは、ディスプレイ上に表示しているものやユーザが描画したものを拡大・縮小して表示させることが可能となっていることが知られている。
【０００３】
また、特許文献１には、ダブルノック式のノック部を備えたスタイラスペンを画面に接触させたとき拡大表示領域を元画像に重畳して表示する入力装置が開示されている。
【発明の概要】
【発明が解決しようとする課題】
【０００４】
しかしながら、従来は、拡大縮小機能により特定の箇所を拡大させるためには、拡大ボタンを押し、倍率ボタンを押して、拡大表示されている箇所を任意の場所まで移動させるといった複数の動作が必要であった。また、電子ペンにノック機構が設けられ、ノック機構動作をシステムが検知すれば拡大モードに移行し、ノック機構と共に搭載してある筆圧検知機能を利用してシステムが検出した筆圧に応じて電子ペンを中心とした領域の拡大率を変更する拡大方法も知られている。しかし、この方法では電子ペンにノック機構が設けられる必要があり、かつ拡大することはできても、縮小させることはできないという問題があった。
【０００５】
本発明は、上記に鑑みてなされたものであって、画像の任意の箇所に対し、拡大又は縮小のいずれかをユーザが選択して表示させることができる光学式タッチパネルシステム、表示方法及び表示プログラムを提供することを目的とする。
【課題を解決するための手段】
【０００６】
上述した課題を解決し、目的を達成するために、本発明は、電子ペン又は遮蔽物を介した光信号に基づいて画像を表示する光学式のタッチパネルシステムであって、電子ペン又は遮蔽物を介した光信号を検知する信号検知部と、前記信号検知部が検知した光信号が電子ペン又は遮蔽物のいずれを介した光信号であるかを判定する判定部と、電子ペンの筆圧を検知する筆圧検知部と、電子ペン又は遮蔽物の位置を検知する位置検知部と、前記判定部が電子ペン又は遮蔽物のいずれを介した光信号であるかを判定した順序、及び前記筆圧検知部が検知した筆圧に基づいて、前記位置検知部が検知した電子ペン又は遮蔽物の位置に基づく所定の位置に、拡大画像又は縮小画像を表示させるように制御する表示制御部と、を有する。
【発明の効果】
【０００７】
本発明によれば、画像の任意の箇所に対し、拡大又は縮小のいずれかをユーザが選択して表示させることができるという効果を奏する。
【図面の簡単な説明】
【０００８】
【図１】図１は、電子情報ボードシステムの概要を示す斜視図である。
【図２】図２は、電子情報ボードシステムを用いた光学式タッチパネルシステムの概要を模式的に示す図である。
【図３】図３は、光学式タッチパネルシステムの制御系を示すブロック図である。
【図４】図４は、電子情報ボードシステムのコントローラの構成及びその周辺を示すブロック図である。
【図５】図５は、電子情報ボードシステムに設けられた受光センサの構成を示す図である。
【図６】図６は、コントローラが電子ペン（及び遮断物）の動きに応じて画像を表示面２２に表示させるために備える機能の概要を示すブロック図である。
【図７】図７は、電子ペン及び遮断物の座標位置を検出するタッチパネル、並びに電子ペンの構成を例示する図である。
【図８】図８は、電子情報ボードシステムが遮断検知モードにより遮断物の座標検知を行う方法を示す図である。
【図９】図９は、遮断物が表示面に接触した時の、受光センサの受光量Ｉを示す図である。
【図１０】図１０は、遮断検知モードで電子ペンが存在する場合の電子情報ボードシステムの動作例を示す図である。
【図１１】図１１は、電子情報ボードシステムが発光ペン検知モードにより電子ペンの座標検知を行う方法を示す図である。
【図１２】図１２は、電子ペンが表示面に接触した時の、受光センサの受光量Ｉを示す図である。
【図１３】図１３は、電子情報ボードシステムの通常時の表示画面を示す図である。
【図１４】図１４は、拡大動作移行時の電子情報ボードシステムを示す図である。
【図１５】図１５は、電子情報ボードシステムが画像を拡大させた状態（表示物拡大）を示す図である。
【図１６】図１６は、電子情報ボードシステムが画像を縮小させた状態（表示物縮小）を示す図である。
【図１７】図１７は、電子情報ボードシステムが画像を移動させた状態（表示物移動）を示す図である。
【図１８】図１８は、電子情報ボードシステムに任意の画像を拡大又は縮小させる場合の手順を示すフローチャートである。
【発明を実施するための形態】
【０００９】
以下に添付図面を参照して、実施形態にかかる光学式タッチパネルシステムについて説明する。まず、光学式タッチパネルシステムに用いられる電子情報ボードシステム１０について説明する。図１は、電子情報ボードシステム１０の概要を示す斜視図である。図１に示すように、電子情報ボードシステム１０は、ディスプレイ部２０と、スタンド４０と、機器収納部５０とを有する。
【００１０】
ディスプレイ部２０は、液晶パネル又はプラズマパネルなどのフラットパネルからなり、ディスプレイ部２０の筐体前面には画像を表示する表示面２２及びタッチパネル（座標検知手段）２４が形成されている。さらに、電子情報ボードシステム１０は、ペン形入力装置である電子ペン（発光ペン）２００又は後述する遮断物１５の一端が表示面２２に接触されると、タッチパネル２４により検知された座標位置に書き込まれた文字や図形等を表示する。遮断物１５は、例えば人の指などである。
【００１１】
図２は、電子情報ボードシステム１０を用いた光学式タッチパネルシステムの概要を模式的に示す図である。図３は、光学式タッチパネルシステムの制御系を示すブロック図である。図４は、電子情報ボードシステム１０のコントローラ６０の構成及びその周辺を示すブロック図である。図２及び図３に示したように、ディスプレイ部２０は、コントローラ６０により制御されており、入力操作される各種画面操作部２６やユーザＰＣ９０から取り込まれた画像を表示面２２に表示する。
【００１２】
また、コントローラ６０は、ＵＳＢ（Ｕｎｉｖｅｒｓａｌ  Ｓｅｒｉａｌ  Ｂｕｓ）ケーブル７０が接続されるＵＳＢソケット７２、ＶＧＡ（Ｖｉｄｅｏ  Ｇｒａｐｈｉｃｓ  Ａｒｒａｙ）ケーブル８０が接続されるＶＧＡ入力ソケット８２を有する。
【００１３】
ユーザＰＣ（Ｐｅｒｓｏｎａｌ  Ｃｏｍｐｕｔｅｒ）９０は、ＵＳＢソケット７２及びＶＧＡ入力ソケット８２を介してコントローラ６０と接続される。また、ユーザＰＣ９０は、磁気ディスク装置などからなるストレージ９４を有する。ストレージ９４には、各種コンテンツ及びコンテンツ表示用アプリケーションソフトウエアなどのプログラムが格納されている。
【００１４】
そして、操作者は、ストレージ９４に格納されたコンテンツの中から所望のコンテンツを選択することで、モニタ９２に当該コンテンツを表示させる。そのため、コントローラ６０は、ユーザＰＣ９０のモニタ９２に表示された画像データがＵＳＢケーブル７０及びＶＧＡケーブル８０を介して転送されると、ディスプレイ部２０のユーザＰＣ画面２８にモニタ９２に表示された画像データと同じ画像を表示する。また、コントローラ６０は、光ファイバなどの通信回線２５０及びネットワークソケット２５２を介してインターネット又はＬＡＮ（Ｌｏｃａｌ  Ａｒｅａ  Ｎｅｔｗｏｒｋ）等のネットワーク２５４にも接続される。
【００１５】
また、図４に示したように、電子情報ボードシステム１０のコントローラ６０は、ペン信号受信部２１０と、コントローラオペレーションシステム部２２０と、アプリケーション部２３０と、映像入力デバイス部２４０と、タッチパネルドライバ部２５０を有する。また、アプリケーション部２３０は、イベント信号判断部２３１と、映像入力処理部２３２と、画像描画処理部２３４と、画面消去処理部２３６と、画面操作処理部２３８とを有する。
【００１６】
コントローラオペレーションシステム部２２０は、コントローラ６０で行う制御処理を管理、実行するメイン制御部である。アプリケーション部２３０は、ディスプレイ部２０の表示面２２に表示される画像全体を生成する制御処理、ユーザＰＣ画面２８に表示する制御処理、電子ペン２００の発光信号及び指の接触情報が検知された場合に筆記された図形や文字などを表示や、指タッチの動作の制御処理を行う。
【００１７】
イベント信号判断部２３１は、コントローラオペレーションシステム部２２０から入力されるイベント信号を監視しており、入力されたイベント信号に応じた制御処理を行う。映像入力処理部２３２は、ユーザＰＣ９０から入力された画像を表示面２２のユーザＰＣ画面２８に表示するための制御処理を行う。
【００１８】
画像描画処理部２３４は、イベント信号判断部２３１を介してタッチパネル２４から入力される座標位置のデータに基づいて手書きのグラフィックを生成し、既に表示された画像に手書きのグラフィックを重畳してディスプレイ部２０の表示面２２に表示する。画面消去処理部２３６は、イベント信号判断部２３１を介してタッチパネル２４から入力される座標位置の情報に基づいて現在表示されている画像の背景色でグラフィックを生成し、既に表示された画像に背景色のグラフィックを重畳してディスプレイ部２０の表示面２２に表示する。これにより、ディスプレイ部２０に表示された手書きグラフィックに背景色のグラフィックが重畳されて見かけ上は、表示面２２から消去される。
【００１９】
画面操作処理部２３８は、タッチパネル２４から入力される座標位置の情報（信号）をマウスイベントなどのポインティングディバイス信号に変換し、ディスプレイ部２０の表示面２２に表示される画面操作部２６のオン・オフ操作による処理を行う。また、タッチパネル２４の受発光センサ３００、３１０により検知された電子ペン２００が接触した座標位置の情報をマウスダウンイベントとして座標値と共にコントローラオペレーションシステム部２２０に伝送する。また、電子ペン２００がタッチパネル２４の表示面２２に接触したまま移動させられた場合、マウスアップイベントとして座標値と共にコントローラオペレーションシステム部２２０に伝送する。
【００２０】
タッチパネルドライバ部２５０は、電子ペン２００及びタッチパネル２４から入力された座標位置信号及び筆記検知信号又は消去検知信号を所定のイベント信号に変換してコントローラオペレーションシステム部２２０に伝送する。また、タッチパネルドライバ部２５０は、ペン信号受信部２１０で電子ペン２００より筆記検知信号又は消去検知信号が受信されると、座標位置信号と共に筆記検知信号又は消去検知信号をコントローラオペレーションシステム部２２０に伝送する。
【００２１】
図５は、電子情報ボードシステム１０に設けられた受光センサ３００（受光センサ３１０）の構成を示す図である。受光センサ３００は、赤外線の受光レンズ３５０と、イメージセンサ基板３５２から構成されており、後述する照明光源４１０が照射する光信号を受光する。また、受光センサ３１０も受光センサ３００と同様に構成されている。
【００２２】
図６は、コントローラ６０が電子ペン２００（及び遮断物１５）の動きに応じて画像を表示面２２に表示させるために備える機能の概要を示すブロック図である。図６に示すように、コントローラ６０は、電子ペン２００（及び遮断物１５）の動きに応じて画像を表示面２２に表示させるために、信号検知部６００、筆圧検知部６０２、位置検知部６０４、判定部６０６、及び表示制御部６０８を有する。
【００２３】
信号検知部６００は、電子ペン２００又は遮断物１５を介した光信号を、受光センサ３００を介して検知する。筆圧検知部６０２は、電子ペン２００のタッチパネル２４に対する筆圧を検知する。位置検知部６０４は、電子ペン２００又は遮断物１５のタッチパネル２４上の位置を検知する。
【００２４】
判定部６０６は、信号検知部６００が検知した光信号が電子ペン２００又は遮断物１５のいずれを介した光信号であるかを判定する。表示制御部６０８は、判定部６０６が電子ペン２００又は遮断物１５のいずれを介した光信号であるかを判定した順序、及び筆圧検知部６０２が検知した筆圧に基づいて、位置検知部６０４が検知した電子ペン２００又は遮断物１５の位置に基づく所定の位置に、拡大画像又は縮小画像を表示させるように制御する。
【００２５】
図７は、電子ペン２００及び遮断物１５の座標位置を検出するタッチパネル２４、並びに電子ペン２００の構成を例示する図である。図７に示したように、タッチパネル２４は、表示面２２の上側の左右角部に一対の受光センサ３００、３１０が配置されている。受光センサ３００，３１０にはそれぞれ、照明光源４１０，４２０が設けられている。また、表示面２２の側面方及び下方には、再帰反射部４３０が配置されている。
【００２６】
照明光源４１０からは光線が表示面２２上に照射される。光線の一部を光線４４０として示す。照明光源４１０から照射された光線は、再帰反射部４３０にて反射され、受光センサ３００に達する。再帰反射部からの反射光の光線の一部を光線４５０として示す。
【００２７】
同様に、照明光源４２０からは光線が表示面２２上に照射される。光線の一部を光線４６０として示す。照明光源４２０から照射された光線は、再帰反射部４３０にて反射され、受光センサ３１０に達する。再帰反射部４３０からの反射光の光線の一部を光線４７０として示す。
【００２８】
電子ペン２００は、ペン先２０１が透明になっており照明光源４１０，４２０及び再帰反射部４３０からの光線を透過させる。発光部２０２は、ペン先に設置されており、制御回路６２の遮断物示に従って発光する。照射される光線は、受光センサ３００，３１０が波長、強度などを検出する。通信制御部２０３は、制御回路６２が備える通信部と通信する。なお、制御回路６２は、上述したコントローラ６０に含まれることとする。
【００２９】
次に、遮断物（非発光体）１５の位置座標を電子情報ボードシステム１０が検出する原理について説明する。図８は、電子情報ボードシステム１０が遮断検知モードにより遮断物１５の座標検知を行う方法を示す図である。電子情報ボードシステム１０は、制御回路６２の遮断物示により、照明光源４１０，４２０を点灯させる。
【００３０】
遮断物１５の先端が表示面２２に接触した場合、光線４４０，４６０は遮断される。そのため、図７に示した光線４５０，４７０は、受光センサ３００，３１０で検出されない。そこで、制御回路６２は、受光センサ３００、３１０からの検出信号に基づいて赤外光を検知しなかった箇所の水平方向に対する傾斜角度を検知し、三角測量の数式で座標位置を演算し、ＸＹ座標に変換する。そして、電子情報ボードシステム１０は、制御回路６２で得られた座標位置を元に書き込まれた文字や図形等をディスプレイ２０に表示する。
【００３１】
図８に示された方法において、遮断物１５が表示面２２に接触した時の、受光センサ３００、３１０の受光量Ｉが図９に示されている。
【００３２】
図１０は、遮断検知モードで電子ペン２００が存在する場合の電子情報ボードシステム１０の動作例を示す図である。この場合は、制御回路６２より通信制御部２０３を介してペン発光部２０２は消灯しておく。また、ペン先２０１が透明なので照明光源４１０，４２０の光線は透過するため、電子ペン２００は受光センサ３００，３１０では感知されず、遮断物１５の座標位置の検知に影響を与えない。以上より、遮断検知モードでは遮断物１５のみの表示面２２への接触を検知することが可能となる。
【００３３】
次に、電子ペン２００の位置座標を電子情報ボードシステム１０が検出する原理について説明する。図１１は、電子情報ボードシステム１０が発光ペン検知モードにより電子ペン２００の座標検知を行う方法を示す図である。発光ペン検知モードでは、制御回路６２の遮断物示により照明光源４１０，４２０は消灯しておき、かつペン先２０１が表示面２２に接触した場合のみ電子ペン２００の発光部２０２を点灯させる。そのため、発光部２０２が照射する光線４８０，４９０のみが受光センサ３００，３１０に入射し検出される。
【００３４】
そこで、制御回路６２は、受光センサ３００、３１０からの検出信号に基づいて赤外光を検知した箇所の水平方向に対する傾斜角度を検知し、三角測量の数式で座標位置を演算し、ＸＹ座標に変換する。そして、電子情報ボードシステム１０は、制御回路６２で得られた座標位置を元に書き込まれた文字や図形等をディスプレイ２０に表示する。
【００３５】
図１１に示された方法において、電子ペン２００が表示面２２に接触した時の、受光センサ３００、３１０の受光量Ｉが図１２に示されている。発光ペン検知モードで遮断物１５が存在する場合は、照明光源４１０，４２０は消灯されており光線が照射されていないため、受光センサ３００、３１０には検知されない（光源が存在しないため、受光センサに”明るい箇所”は観測されない：下表１参照）。以上より、発光ペン検知モードでは、電子ペン２００のみの表示面２２への接触を検知することが可能となる。
【００３６】
【表１】
2018045530.tif 000003
【００３７】
次に、電子情報ボードシステム１０が画像を拡大又は縮小させて表示する方法について説明する。図１３は、電子情報ボードシステム１０の通常時の表示画面である。ここで、電子情報ボードシステム１０が任意の箇所の画像５０２の拡大動作へ移行する方法を示す。電子ペン２００及び遮断物１５の位置座標が拡大ボタン５０１の有効領域内であるとき、電子情報ボードシステム１０は、拡大動作に移行する。
【００３８】
図１４は、拡大動作移行時の電子情報ボードシステム１０を示す図である。電子情報ボードシステム１０は、拡大動作移行後にユーザが電子ペン２００で拡大したい任意の箇所の画像５０２を○で囲むと、拡大領域５０３を表示する。電子情報ボードシステム１０は、ユーザが任意で囲んだ領域から囲み始めた点を基準点とし、基準点から最も遠い３点を抽出する。そして、電子情報ボードシステム１０は、抽出した３点と基準点１点の合計４点をそれぞれ１辺とする拡大可能領域５０４を表示する。それと同時に、電子情報ボードシステム１０は、ディスプレイ２０の中心に最も近い四角形の頂点の近傍に拡大ボタン５０５を表示する。
【００３９】
図１５は、電子情報ボードシステム１０が画像５０２を拡大させた状態（表示物拡大）を示す図である。電子情報ボードシステム１０は、電子ペン２００の位置座標を検出し、かつ、検出した位置座標が拡大ボタン５０５の有効領域内であった場合、拡大領域５０４において検出した筆圧に応じて画像５０２を拡大させて表示する。このとき、電子情報ボードシステム１０は、電子ペン２００の位置座標が検出できなくなった場合、又は遮断物１５が検出された場合に拡大をとめる。この動作により拡大率の微調整が可能になる。
【００４０】
図１６は、電子情報ボードシステム１０が画像５０２を縮小させた状態（表示物縮小）を示す図である。図１６において、拡大するときとの差異は、電子情報ボードシステム１０が検知するのが電子ペン２００と遮断物１５のどちらが先かということである。電子情報ボードシステム１０は、電子ペン２００を先に検知し、かつ位置情報が拡大ボタン５０５の有効領域内であった場合は画像５０２の拡大を行なうが、遮断物１５を先に検知し、かつ電子ペン２００の位置情報が拡大ボタン５０５の有効領域内であった場合は画像５０２の縮小を行なう。
【００４１】
図１７は、電子情報ボードシステム１０が画像５０２を移動させた状態（表示物移動）を示す図である。図１７においては、電子情報ボードシステム１０が拡大動作に移行しており、電子ペン２００の位置情報を検知したが、位置座標が拡大ボタン５０５の有効領域内ではなかったときの動作が示されている。図１７に示した動作の場合、電子情報ボードシステム１０は、拡大領域を取得した位置座標を中心とした位置に画像５０２を遷移させる。
【００４２】
次に、電子情報ボードシステム１０に任意の画像を拡大又は縮小させる場合の手順をフローチャートを用いて説明する。図１８は、電子情報ボードシステム１０に任意の画像を拡大又は縮小させる場合の手順を示すフローチャートである。電子情報ボードシステム１０は、１本の電子ペン２００と、１つの遮断物１５との動きの組み合わせによって、表示している任意の位置の画像の拡大、縮小を行なう。
【００４３】
まず、ユーザの操作によって電子情報ボードシステム１０の電源を入れる（Ｓ１０２）。その後、コントローラ６０は、電子ペン２００又は遮断物１５の位置情報を取得する（Ｓ１０４）。
【００４４】
コントローラ６０が取得した位置情報がディスプレイ２０に表示されている拡大ボタン５０１の有効領域内であった場合、ユーザがディスプレイ２０上で拡大したい領域の指定ができるようになる。拡大ボタン５０１が有効領域外にある場合、拡大領域動作には移行せず、コントローラ６０が検知している位置座標が拡大ボタン５０１の有効領域に入っているかを電源がオフになるまで判定し続ける（Ｓ１０６、Ｓ１４０）。
【００４５】
次に、電子情報ボードシステム１０が拡大領域を指定されたと認識した場合（Ｓ１０８）、コントローラ６０は、取得した拡大領域の位置座標の中で最初に取得した座標を基点として、基準点より最も遠い３点を抽出する。コントローラ６０は、抽出した３点と基準点の合計４点をそれぞれ一辺とする四角形をディスプレイ２０上に表示させる（Ｓ１１０）。
【００４６】
更に、コントローラ６０は、タッチパネル２４の中心に最も近い四角形の頂点の近傍に拡大ボタン５０５を表示させる（Ｓ１１２）。次に、電子情報ボードシステム１０が検出した信号が電子ペン２００の発光なのか、遮断物１５によるものであるか判定する（Ｓ１１４、Ｓ１２４）。
【００４７】
コントローラ６０は、電子ペン２００の発光を検知している場合は、位置座標を取得する（Ｓ１１６）。更に、コントローラ６０は、取得した位置座標がＳ１１２の処理で表示している拡大ボタン５０５の有効領域内であった場合は、遮断物１５による遮断が検知されているかを判定する（Ｓ１１８、Ｓ１２０）。
【００４８】
コントローラ６０は、拡大ボタン５０５の有効領域内、かつ遮断物１５による遮断が検出されていない場合は、取得した筆圧情報に基づき表示物の拡大を行う（Ｓ１２２）。この操作により、電子情報ボードシステム１０は、手（指：遮断物１５）などの遮蔽物が検出されるまで表示物の拡大を行なうが、遮蔽物が検知されると表示物の拡大をとめる。よって、ユーザが表示物の拡大を微調整することが可能になる。
【００４９】
更に、コントローラ６０は、Ｓ１１６の処理で取得した位置座標が拡大ボタン５０５の有効領域内でないが、Ｓ１０８の処理で指定した拡大領域内であった場合は、Ｓ１０８の処理で指定した拡大領域の中心から、Ｓ１１６の処理で取得した位置座標へと拡大領域の中心をシフトさせる（Ｓ１３８）。この操作により、ユーザが指定する場所へと拡大領域の遷移が可能になる。
【００５０】
Ｓ１１４、Ｓ１２４の処理により、コントローラ６０は、電子ペン２００の発光を検出せずに、遮断物１５による遮断を検出した場合、縮小動作に移行する。ただし、コントローラ６０は、電子ペン２００の発光を検知しない限り表示物の縮小を行わない。コントローラ６０は、先に遮断物１５による遮断を検出し、電子ペン２００の発光も検出した場合で、電子ペンの位置座標がＳ１１２の処理で表示した拡大ボタン５０５の有効領域内の場合のみ縮小を行う（Ｓ１２６〜Ｓ１３４）。
【００５１】
以上のように、電子ペン２００と手等の遮断物１５の組み合わせと、電子ペン２００の筆圧により、電子ペン２００にノック機構等を持たせる必要がないので、電子ペン２００の構造を複雑にする必要がない。更に、ユーザが任意に画像を拡大・縮小できる領域を決定でき、かつ画像をディスプレイ２０上で移動させることが可能となる。
【００５２】
なお、上述した電子情報ボードシステム１０で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）、ＵＳＢ（Ｕｎｉｖｅｒｓａｌ  Ｓｅｒｉａｌ  Ｂｕｓ）等のコンピュータで読み取り可能な記録媒体に記録して提供するように構成してもよいし、インターネット等のネットワーク経由で提供又は配布するように構成してもよい。また、各種プログラムを、ＲＯＭ等の不揮発性の記録媒体に予め組み込んで提供するように構成してもよい。
【符号の説明】
【００５３】
１０    電子情報ボードシステム
１５    遮断物
２０    ディスプレイ
２２    表示面
２４    タッチパネル
２６    画面操作部
６０    コントローラ
６２    制御回路
９０    ユーザＰＣ
２００  電子ペン
２０１  ペン先
２０２  発光部
２０３  通信制御部
２１０  ペン信号受信部
２３０  アプリケーション部
２３１  イベント信号判断部
２３２  映像入力処理部
２３４  画像描画処理部
２３６  画面消去処理部
２３８  画面操作処理部
３００、３０１  受光センサ
４１０、４２０  照明光源
４３０  再帰反射部
５０１  拡大ボタン
５０２  画像
５０３  拡大領域
５０４  拡大可能領域
５０５  拡大ボタン
６００  信号検知部
６０２  筆圧検知部
６０４  位置検知部
６０６  判定部
６０８  表示制御部
【先行技術文献】
【特許文献】
【００５４】
【特許文献１】特開２０１１−１６５０２３号公報
【図１】
2018045530.tif 000004
【図２】
2018045530.tif 000005
【図３】
2018045530.tif 000006
【図４】
2018045530.tif 000007
【図５】
2018045530.tif 000008
【図６】
2018045530.tif 000009
【図７】
2018045530.tif 000010
【図８】
2018045530.tif 000011
【図９】
2018045530.tif 000012
【図１０】
2018045530.tif 000013
【図１１】
2018045530.tif 000014
【図１２】
2018045530.tif 000015
【図１３】
2018045530.tif 000016
【図１４】
2018045530.tif 000017
【図１５】
2018045530.tif 000018
【図１６】
2018045530.tif 000019
【図１７】
2018045530.tif 000020
【図１８】
2018045530.tif 000021